(57)【要約】【課題】顧客として見込める層にターゲットを絞った広告をすること【解決手段】配達業者１に荷送人７から配達を依頼された配達物９の表面を広告媒体とし、コンピュータ１Ａに上記配達物９から得られる配達情報を記憶させ、予め記憶させてあるマクロ情報と上記配達情報とから統合情報を得る。統合情報中個人の特定に係るプライベート情報を除く非プライベート情報及びクライアント３から受注した広告情報をニーズ別に細分化して作成する広告需要情報と上記統合情報とを比較する。上記比較において所定数以上一致した場合マッチングとみなし、上記マッチングした広告情報を上記広告媒体に登載する。非プライベート情報は性別、個人・法人の別、郵便番号、配達物９の内容、配達物９の形状タイプ、配達日、配達時間帯の全部又は一部である。マクロ情報は一般公開情報及び自社情報である。【選択図】        図５
2004234352.tif 000002
【特許請求の範囲】
【請求項１】
配達業者に荷送人から配達を依頼された配達物の表面を広告媒体とし、コンピュータに上記配達物から得られる配達情報を記憶させ、予め記憶させてあるマクロ情報と上記配達情報とから統合情報を得、該統合情報中個人の特定に係るプライベート情報を除く非プライベート情報及びクライアントから受注した広告情報をニーズ別に細分化して作成する広告需要情報と上記統合情報とを比較し、上記比較において所定数以上一致した場合マッチングとみなし、上記マッチングした広告情報を上記広告媒体に登載することを特徴とする配達物を利用した広告システム。
【請求項２】
請求項１記載の配達物を利用した広告システムにおいて、上記非プライベート情報が性別、個人・法人の別、郵便番号、配達物の内容、配達物の形状タイプ、配達日、配達時間帯の全部又は一部であることを特徴とする配達物を利用した広告システム。
【請求項３】
請求項１記載の配達物を利用した広告システムにおいて、上記マクロ情報が一般公開情報及び自社情報であることを特徴とする配達物を利用した広告システム。
【請求項４】
請求項３記載の配達物を利用した広告システムにおいて、上記一般公開情報が選挙の投票率、金融・価格相場、株価指数、為替、商品相場、地価相場、財務諸表、視聴率、ヒットチャートその他の人気投票、気象情報の全部又は一部であることを特徴とする配達物を利用した広告システム。
【請求項５】
請求項３記載の配達物を利用した広告システムにおいて、上記自社情報には配達業者が永年の努力により獲得している秘密情報を含むことを特徴とする配達物を利用した広告システム。
【請求項６】
請求項１記載の配達物を利用した広告システムにおいて、上記広告需要情報を項目毎に類型化することを特徴とする配達物を利用した広告システム。
【請求項７】
請求項１又は請求項６記載の配達物を利用した広告システムにおいて、上記広告需要情報が配達物の絶対個数を表示するものであることを特徴とする配達物を利用した広告システム。
【請求項８】
請求項１又は請求項６記載の配達物を利用した広告システムにおいて、上記広告需要情報が配達物の相対個数を表示するものであることを特徴とする配達物を利用した広告システム。
【請求項９】
請求項１記載の配達物を利用した広告システムにおいて、上記広告媒体への登載が広告情報の直接表示であることを特徴とする配達物を利用した広告システム。
【請求項１０】
請求項９記載の配達物を利用した広告システムにおいて、上記直接表示が広告情報を表示したシートを配達物の表面に貼付することであることを特徴とする配達物を利用した広告システム。
【請求項１１】
請求項１記載の配達物を利用した広告システムにおいて、上記広告媒体への登載が広告情報の間接表示であることを特徴とする配達物を利用した広告システム。
【請求項１２】
請求項１１記載の配達物を利用した広告システムにおいて、上記間接表示が広告情報を格納したＩＣチップを登載することであることを特徴とする配達物を利用した広告システム。
【発明の詳細な説明】
【０００１】
【発明の属する技術分野】
本願発明は、広告に関し、とくに宅配物等の配達物を利用した広告システムに関する。
【０００２】
【従来の技術】
従来の広告はスポンサーがマスコミ等の広告媒体を介して不特定多数人に対し一方的に広告情報を供給している。
【０００３】
一方価値観の多様化した現在においては需要者のニーズが多様化している。
【０００４】
【発明が解決しようとする課題】
このため広告情報に関し、供給と需要が不一致となることが多く、広告が有効に機能していないことが多い。
【０００５】
また、広告資金に余裕のない、あるいは広告の経験のない企業や個人には広告依頼が難しいといった実状がある。
【０００６】
さらに価値観の多様化した現在においては、公序良俗に反する広告が一方的に送られてくるケースが多い。
【０００７】
本願発明は上記欠点を解消することを目的とする。即ち、本願発明の目的は顧客として見込める層にターゲットを絞った広告をすることを可能とする。本願発明の他の目的は、以下の説明から明らかにする。
【０００８】
【課題を解決するための手段】
上記目的達成のため、本願発明による配達物を利用した広告システムは、配達業者に荷送人から配達を依頼された配達物の表面を広告媒体とし、コンピュータに上記配達物から得られる配達情報を記憶させ、予め記憶させてあるマクロ情報と上記配達情報とから統合情報を得、該統合情報中個人の特定に係るプライベート情報を除く非プライベート情報及びクライアントから受注した広告情報をニーズ別に細分化して作成する広告需要情報と上記統合情報とを比較し、上記比較において所定数以上一致した場合マッチングとみなし、上記マッチングした広告情報を上記広告媒体に登載することを特徴とする。
また、請求項１記載の配達物を利用した広告システムにおいて、上記非プライベート情報が性別、個人・法人の別、郵便番号、配達物の内容、配達物の形状タイプ、配達日、配達時間帯の全部又は一部であることを特徴とする。
また、請求項１記載の配達物を利用した広告システムにおいて、上記マクロ情報が一般公開情報及び自社情報であることを特徴とする。
また、請求項３記載の配達物を利用した広告システムにおいて、上記一般公開情報が選挙の投票率、金融・価格相場、株価指数、為替、商品相場、地価相場、財務諸表、視聴率、ヒットチャートその他の人気投票、気象情報の全部又は一部であることを特徴とする。
また、請求項３記載の配達物を利用した広告システムにおいて、上記自社情報には配達業者が永年の努力により獲得している秘密情報を含むことを特徴とする。
また、請求項１記載の配達物を利用した広告システムにおいて、上記広告需要情報を項目毎に類型化することを特徴とする。
また、請求項１又は請求項６記載の配達物を利用した広告システムにおいて、上記広告需要情報が配達物の絶対個数を表示するものであることを特徴とする。
また、請求項１又は請求項６記載の配達物を利用した広告システムにおいて、上記広告需要情報が配達物の相対個数を表示するものであることを特徴とする。
また、請求項１記載の配達物を利用した広告システムにおいて、上記広告媒体への登載が広告情報の直接表示であることを特徴とする。
また、請求項９記載の配達物を利用した広告システムにおいて、上記直接表示が広告情報を表示したシートを配達物の表面に貼付することであることを特徴とする。
また、請求項１記載の配達物を利用した広告システムにおいて、上記広告媒体への登載が広告情報の間接表示であることを特徴とする。
また、請求項１１記載の配達物を利用した広告システムにおいて、上記間接表示が広告情報を格納したＩＣチップを登載することであることを特徴とする。
【０００９】
【発明の実施の形態】
次に、実施の形態を示す図面に基づき本願発明による配達物を利用した広告システムをさらに詳しく説明する。なお、便宜上同一の機能を奏する部分には同一の符号を付してその説明を省略する。
【００１０】
１は配達業者、１Ａは該配達業者１のコンピュータである。３は配達業者１に広告の依頼をするクライアントである。７は配達業者１に配達物９の配達を依頼する荷送人、５は当該配達物を受け取る荷受人である。上記配達業者１は複数の支店を有しており、コンピュータ１Ａの端末（図示省略）も各支店に設置されている。また上記クライアント３、荷受人５及び荷送人７は不特定かつ多数人であることを想定している。
【００１１】
上記コンピュータ１Ａには、配達情報として、例えば、荷受人５の氏名、名称、性別、個人・法人の別、住所、郵便番号、電話番号、配達物の内容、配達物の形状タイプ、配達日、配達時間帯などが格納される。
【００１２】
配達物の内容は荷送人７の申告によるものとし、例えば、ナマもの（ａ種）、割れもの（ｂ種）、保冷もの（ｃ種）、書類もの（ｄ種）等がある。
【００１３】
配達物９の形状タイプは、例えば図２に示すように、箱形９Ａ（Ａタイプ）、円柱型９Ｂ（Ｂタイプ）、袋型９Ｃ（Ｃタイプ）などとして予め決めておく。
【００１４】
上記配達情報は、図３に示すように、ＩＣチップ（図示省略）からなる配達カード１１に格納しておく。この配達カード１１は荷送りの際荷送人７又は配達業者１によって交付される。
【００１５】
上記コンピュータ１Ａには、また、マクロ情報として、一般公開情報及び自社情報が格納されている。
【００１６】
一般公開情報としては、例えば、公開されている官民の調査、統計、指数等がある。具体的には、選挙の投票率、金融・価格相場、株価指数、為替、商品相場、地価相場、財務諸表、視聴率、ヒットチャートその他の人気投票、気象情報等がある。
【００１７】
自社情報には配達業者が永年の努力により獲得している秘密情報を含む。
【００１８】
上記コンピュータ１Ａはコンピュータ内部に構築されたシステムにより、上記マクロ情報と上記配達情報とから統合情報を得る。該統合情報としては、例えば、個人・法人の別情報と財務諸表中の資本金情報との組合わせ、性別情報とテレビ視聴率情報との組合わせなどがある。
【００１９】
上記コンピュータ１Ａはコンピュータ内部に構築されたシステムにより、上記統合情報中荷受人５等の個人の特定に係るプライベート情報を除く非プライベート情報及びクライアント３から受注した広告情報をニーズ別に細分化し、かつ所定の項目毎に類型化して広告需要情報を作成する。
【００２０】
上記非プライベート情報としては、例えば、郵便番号、配達日、配達時間帯、男、女、個人・法人の別、配達物の内容、配達物の形状タイプである。また国際特許分類の利用がある。具体的には、「生活必需品（Ａ）、処理操作；運輸（Ｂ）、化学；冶金（Ｃ）、繊維；紙（Ｄ）、固定構造物（Ｅ）機械工学；照明（Ｆ）、物理学（Ｇ）、電気（Ｈ）」をインデックス項目とし、あるいはこれら諸項目をさらに細分化した「農業、食料品；たばこ、個人用品または家庭用品、健康；娯楽（Ａの再細分化）、分離；混合、成形、印刷、運輸（Ｂの再細分化）、化学、冶金（Ｃの再細分化）、繊維または他に分類されない可とう性材料、紙（Ｄの再細分化）、建造物、地中削孔；採鉱（Ｅの再細分化）、機関またはポンプ、工学一般、照明；加熱、加熱；武器；爆破、武器；爆破（Ｆの再細分化）、光学、原子核工学（Ｇの再細分化）」である。
【００２１】
配達物９は荷物であっても、文書であってもよい。また、戸別に配達される宅配物の他、郵便局の局止めの如く所轄店止めの配達物も含まれる。
【００２２】
次に図５を参照して本願発明による配達物を利用した広告システムの手続ステップを説明する。
【００２３】
＜１＞荷送人７より配達業者１に配達物の依頼がある（Ｓ１）。この依頼の仕方は問わない。例えば、配達業者１の店頭に荷送人７が出向いてもよいし、また配達業者１が集荷しに行ってもよい。
【００２４】
＜２＞荷送人７は、配達依頼の際、配達カード１１を配達業者１に提示し、荷送人７及び荷受人５に関する情報を配達業者１に与える。これにより、配達業者１はコンピュータ１Ａに該配達カード１１のコード番号を入力し当該荷送人７及び荷受人５を認識する（Ｓ２）。
【００２５】
＜３＞次いで配達業者１のコンピュータ１Ａは配達カード１１のカードデータを読み取る（Ｓ３）。配達カード１１には荷送人７及び荷受人５夫々の氏名／名称、住所、個人・法人の別、住所、郵便番号、電話番号、配達物９の内容及び形状タイプ、配達日、配達時間帯等の全部又は一部が格納されている。
【００２６】
＜４＞配達カード１１が無いときは配達業者１は荷送人７及び／または荷受人５に配達カード１１の作成を依頼する（Ｓ４）。
【００２７】
＜５＞配達カード１１の新規作成が終了するとステップ２に移行する（Ｓ５）。
【００２８】
＜６＞配達カード１１の新規作成が荷送人７及び／又は荷受人５より拒否されたときは「未加入者」としてデータ化され（Ｓ６）、ステップ３に移行する。この「未加入者」データは、荷送人情報及び／又は荷受人情報の一部となる。このデータ内容は、例えば、広告需要情報で「カード未加入者」項目を作っておき、広告掲載料金が一番安い広告対象とする。
【００２９】
＜７＞配達カード１１のデータの読み取り後、上記コンピュータ１Ａは内部に構築されているシステムにしたがってステップ７に移行し、一般公開情報及び自社情報からなるマクロ情報の読み取りを行なう（Ｓ７）。
【００３０】
＜８＞次いで、上記コンピュータ１Ａは内部に構築されているシステムにしたがってステップ８に移行し、今回の配達物について記憶されている荷送人７及び荷受人５の配達情報と上記マクロ情報とが統合され、統合情報が作成される（Ｓ８）。
【００３１】
＜９ａ＞他方、配達業者１はクライアント３からインターネット等を介して広告を受注する（Ｓ９ａ）。
【００３２】
＜９ｂ＞この広告は、広告需要情報に加工され、インターネットを介して一般に公開されている。見込クライアントは、広告の発注に際し、インターネットにより、自己のパソコン等によってこの情報を検索することができる（Ｓ９ｂ）。
【００３３】
＜１０＞かかる広告情報及び上記統合情報中個人の特定に係るプライベート情報を除いたデータがニーズ別に細分化され類型化されて広告需要情報が作成される（Ｓ１０）。この広告需要情報はインデックスとして機能し、クライアント３が広告掲載をする際の参考となる需要者別の配達物９の個数が項目毎に載っている。即ち、クライアント３が、指定端末を操作すると、該広告需要情報より広告の受注個数及び項目毎の残存個数が表示される。
【００３４】
＜１１＞次いで、上記コンピュータ１Ａは内部に構築されているシステムにしたがってステップ１１に移行し、上記広告需要情報と上記統合情報とを比較する。この比較において所定数以上一致した場合マッチングとみなす（Ｓ１１）。
【００３５】
＜１２＞かくして当該配達物９の表面に登載する広告情報が特定され、これが例えば配達物９の表面に登載されているＩＣチップに格納される（Ｓ１２）。具体的にどの配達物９が上記個数の一であるかは配達カード１１のコード番号により特定できるようになっている。
【００３６】
＜１３＞荷受人５のニーズとマッチングされた広告が登載された配達物９が荷受人５に配達される（Ｓ１３）。
【００３７】
上記実施の形態によれば次のような効果がある。まず、掲載される広告はマッチングステップを経ることにより、当該広告情報に興味を示し需要が見込まれる者にターゲットを絞り込んで行なうことが可能となる。即ち、クライアント３にとり、従来不特定多数人にいわば「盲打ち」していた広告を見込客というある程度特定された層に打つことができる。これにより、クライアント３は確実な広告効果を期待することができる。
【００３８】
また、広告情報をアップツーデートに簡単に変更できるから、見込顧客のニーズに即応できる効果がある。
【００３９】
広告ターゲットの絞り込みにより、広告費用の削減に寄与する。これにより、例えば行方不明者の捜索等、従来広告依頼が難しかった個人的な広告であっても容易に広告として依頼することができる。
【００４０】
広告対象が広告需要情報として数量的に個数表示されるので、クライアント３は広告効果をデジタル的に把握することが可能となる。
【００４１】
これにより、クライアント３は広告の掲載日程や数量等を広告需要情報に応じて自在に管理することが可能となる。
【００４２】
さらに配達業者１として顕名の広告をすることになるので、モラルのない広告の抑止効果がある。
【００４３】
配達業者１としては、従来荷送人７からの配達手数料だけであったのが、クライアント３からの広告掲載手数料を得ることができることになり、増収要因となる。また、配達業務だけでなく、広告業務へ参入できることとなり、ビジネスチャンスが増加する。また、配達カード１１に種々の情報を記録しておけるので、顧客の取込み効果が期待でき、配達業者１にとりリピータ（固定客）の獲得につながる。さらに、広告業務による増収の結果、例えばリピータとしての荷送人７には配達料の割引等をすることができるため、本業である配達業務の利用増加が期待できる。かくして、配達業者１による雇傭の増加要因となる。
【００４４】
荷受人５にとっては興味のある広告情報のみが供給されてくるので、時間的、手間的に有利となる。例えばモラルのない広告情報を見なくて済む効果がある。また、リピータ割引がある場合、荷送料金の負担軽減となる。
【００４５】
＜実施例＞
まず、配達情報とマクロ情報とから得られる統合情報は、例えば図６の如くになっている。なお、この統合情報はさらに多量作成されているが省略する。
また、上記統合情報中の非プライベート情報及びクライアント３から受注した広告情報をニーズ別に細分化し類型化して作成する広告需要情報は、例えば図７の如くになっている。なお、この広告需要情報はさらに多量作成されているが省略する。
【００４６】
＜実施例１＞
この場合において、化粧品会社Ｘ（クライアント３）が主婦層を顧客ターゲットとして宣伝したいときは、例えば「女性」及び「午前」をキーワードとする。この場合Ｘ社はインターネットにより図８の如き検索を行なう。
【００４７】
即ち、図７に示す広告需要情報中「属性」及び「配達時間帯」の中から指定キーワードを選択すると、これらの情報が合体され、指定端末に図８の如き表示をする。つまり、「午前＋女性」を満たす配達物９の個数が、例えば「１０３４個」と表示される。Ｘ社としては、この「１０３４個」が広告対象として満足する場合は広告の発注をすることになる。また、上記個数では数量的に不足すると考えるときは、例えば「女性」のみ「３０７８個」、あるいは「午前」便のみ「４９６５個」の如く変更して発注をすることになる。
【００４８】
＜実施例２＞
［００４５］の場合において、ソフトウェア会社Ｙが金融情報のパッケージソフトの宣伝のため、東京の大手町及び兜町にある金融機関を顧客ターゲットとするときは、例えば、「法人」、「大手町」（郵便番号１００−０００４により指定）、「兜町」（郵便番号１０３−００２６により指定）及び「資本金１０億円以上」をマッチングのキーワードとする。この場合Ｙ社はインターネットにより図９の如き検索を行なう。
【００４９】
即ち、図７に示す広告需要情報中「属性」「郵便番号」及び「決算書」の中から指定キーワードを選択すると、これらの情報が合体され、指定端末に図９の如き表示をする。つまり、「法人＋大手町＋兜町＋資本金１０億円以上」を満たす配達物９の個数が、例えば「２４個」と表示される。Ｙ社の対応は前実施例と同様である。
【００５０】
本願発明は上記した実施の形態に限定されない。例えば、広告の発注はクライアント３より図示しない広告代理店を介して配達業者１にすることができる。
【００５１】
広告文等広告に関する情報の作成は、配達業者１が行うのが通例であるが、クライアント３自身が作成して配達業者１に提供してもよい。
【００５２】
広告情報のＩＣチップへの登載は、間接表示の場合、配達物９の表面に搭載されたＩＣチップに格納してもよいし（先付け）、配達カード１１のＩＣチップに格納後該配達カード１１を配達物９の表面に搭載してもよい（後付け）。直接表示の場合、広告情報の登載は常に後付けとなる。
【００５３】
広告需要情報は上記したように配達物の絶対個数を表示する場合の外、当該配達物が全体に占める割合（相対個数）を表示する方式でもよい
【００５４】
広告情報の表示の仕方は広告情報を表示したシートを配達物９の表面に貼付する直接表示であってもよい（図４）。間接表示の場合ＣＤＲＯＭを用いてもよい。また配達物９の表面に広告情報を格納したＩＣチップを貼付するとともに、該表面に広告情報を直接表示する如く、間接表示と直接表示を混合してもよい。直接表示の場合は簡便であるという効果があり、本文に述べた間接表示の場合は配達業者１や配達物９の品格を重視したり、コスト低減等にメリットとなる。
【００５５】
また広告情報を表示するものは任意である。シートの外、例えば、パンフレット、サンプル等であってもよい。
【００５６】
【発明の効果】
このように本願発明による配達物を利用した広告システムによれば、見込客にターゲットを絞った広告をすることができ、確実かつ効率的な広告をすることができる。
【図面の簡単な説明】
【図１】本願発明による配達物を利用した広告システムの実施の形態を示す概念図である。
【図２】配達物の形状タイプの種別例を示す図である。
【図３】本願発明にかかる間接表示を示す図である。
【図４】本願発明にかかる直接表示を示す図である。
【図５】本願発明よる配達物を利用した広告システムのフローチャートを示す図である。
【図６】本願発明にかかる統合情報の例を示す図である。
【図７】本願発明にかかる広告需要情報の例を示す図である。
【図８】本願発明にかかるマッチングの例を示す図である。
【図９】本願発明にかかるマッチングの他の例を示す図である。
【符号の説明】
１    配達業者
１Ａ  コンピュータ
３    クライアント
５    荷受人
７    荷送人
９    配達物
１１  配達カード
１３  広告表示シート
【図１】
2004234352.tif 000003
【図２】
2004234352.tif 000004
【図３】
2004234352.tif 000005
【図４】
2004234352.tif 000006
【図５】
2004234352.tif 000007
【図６】
2004234352.tif 000008
【図７】
2004234352.tif 000009
【図８】
2004234352.tif 000010
【図９】
2004234352.tif 000011